(57)【要約】【課題】  誤配信を確実に防止し得るＦＡＸ送信方法およびそれを用いたＦＡＸシステムを提供することにある。【解決手段】  ＦＡＸ送信元１０からＦＡＸ送信先１１へＦＡＸ送信を行うＦＡＸ送信方法おいて、ＦＡＸ送信元１０から送信元識別情報の通知を受けたＦＡＸ送信先１１は、送信元発呼情報を送信元識別情報に基づいて検索し、送信元識別情報に対応付けられた送信元発呼情報を取得し、取得した送信元発呼情報に基づいて、発呼し、該発呼に応じて着呼が行なわれたＦＡＸ送信元１０に対し、ＦＡＸ送信許可通知を音声案内し、音声案内を受けたＦＡＸ送信元１０は、ＦＡＸ送信許可通知を確認したＦＡＸ送信者から送信指示を受けると、音声案内による回線接続中のＦＡＸ送信先１１に対して、ＦＡＸ送信元からＦＡＸ送信を行う。【選択図】        図１
2007028528.tif 000002
【特許請求の範囲】
【請求項１】
ＦＡＸ送信元からＦＡＸ送信先へＦＡＸ送信を行うＦＡＸ送信方法おいて、
前記ＦＡＸ送信元から当該ＦＡＸ送信元を識別する送信元識別情報を前記送信先に通知すること、
前記通知を受けたＦＡＸ送信先で、前記ＦＡＸ送信元の発呼情報を予め保持するＦＡＸ送信元情報記憶部を前記送信元識別情報に基づいて検索し、前記送信元識別情報に対応付けられた送信元発呼情報を取得すること、
前記取得した送信元発呼情報に基づいて、発呼すること、
ＦＡＸ送信先は、前記発呼に応じて着呼が行なわれたＦＡＸ送信元に対し、ＦＡＸ送信許可通知を音声案内すること、
前記音声案内により、ＦＡＸ送信許可通知を確認したＦＡＸ送信者から送信指示を受けると、前記音声案内による回線接続中のＦＡＸ送信先に対して、ＦＡＸ送信元からＦＡＸ送信を行うことを特徴とするＦＡＸ送信方法。
【請求項２】
前記送信元識別情報は、前記ＦＡＸ送信元の呼出番号であることを特徴とする請求項１記載のＦＡＸ送信方法。
【請求項３】
前記ＦＡＸ送信元は、前記ＦＡＸ送信先に対し、ＩＰ通信により前記送信元識別情報を通知しており、
前記送信元識別情報は、前記ＦＡＸ送信元のＩＰアドレスであることを特徴とする請求項１に記載のＦＡＸ送信方法。
【請求項４】
前記送信元識別情報は、前記ＦＡＸ送信元に付された名前を示す送信元名のであることを特徴とする請求項１記載のＦＡＸ送信方法。
【請求項５】
前記音声案内により、前記ＦＡＸ送信先を識別可能の情報が通知されることを特徴とする請求項１記載のＦＡＸ送信方法。
【請求項６】
ＦＡＸ送信を行うＦＡＸ送信装置と、該ＦＡＸ送信装置からのＦＡＸ送信を受信するＦＡＸ受信装置とを備えたＦＡＸシステムおいて、
前記ＦＡＸ送信装置は、
当該ＦＡＸ送信装置を識別するための送信装置識別情報を前記ＦＡＸ受信装置に通知する送信装置識別情報通知部と、
通知された送信装置識別情報に対応した送信元発呼情報に基づいてコールバック発呼され、該コールバック発呼に応答した自装置へのＦＡＸ送信許可の音声案内通知を受け、該通知を受けた後ＦＡＸ送信者の送信指示に基づいて、前記音声案内による回線接続中のＦＡＸ受信装置に対してＦＡＸ送信を行うＦＡＸ送信部と、を備え、
前記ＦＡＸ受信装置は、
前記送信元発呼情報を前記送信装置識別情報に基づいて検索可能に保持するＦＡＸ送信装置情報記憶部と、
通知された送信装置識別情報に基づいて前記ＦＡＸ送信装置情報記憶部を検索し、該送信装置識別情報に対応する送信元発呼情報を取得する発呼情報取得部と、
前記取得した送信元発呼情報に基づいて前記ＦＡＸ送信装置に対しコールバック発呼を行うコールバック部と、
前記コールバック発呼に応じて着呼が行なわれた前記ＦＡＸ送信装置に対し、前記音声案内を通知する音声案内通知部と、
を備えることを特徴とするＦＡＸシステム。
【請求項７】
前記送信装置識別情報は、前記ＦＡＸ送信装置の呼出番号であることを特徴とする請求項６に記載のＦＡＸシステム。
【請求項８】
前記ＦＡＸ送信装置は、前記ＦＡＸ受信装置に対し、ＩＰ通信により前記送信装置識別情報を通知しており、
前記送信装置識別情報は、前記ＦＡＸ送信装置に付与されたＩＰアドレスであることを特徴とする請求項６に記載のＦＡＸシステム。
【請求項９】
前記送信元識別情報は、前記ＦＡＸ送信装置に付された名前を示す送信装置名であることを特徴とする請求項６記載のＦＡＸシステム。
【請求項１０】
前記音声案内により、複数の前記ＦＡＸ受信装置を識別するためのＦＡＸ受信装置識別情報が通知されることを特徴とする請求項６記載のＦＡＸシステム。
【発明の詳細な説明】
【技術分野】
【０００１】
本発明は、ＦＡＸ送信方法およびそれを用いたＦＡＸシステムに関するものである。
【背景技術】
【０００２】
ＦＡＸ送信はＦＡＸ送信元からＦＡＸ送信先に発呼を行ない、回線が接続されると、ＦＡＸ送信先へＦＡＸ送信が開始される。ところで、前記した発呼は、ＦＡＸ送信者がＦＡＸ送信先の発呼情報に基づいてダイヤルし、ＦＡＸ送信先を呼び出す。該ダイヤル操作は、ＦＡＸ送信者が１０桁近い数字を入力する必要があり、そのためダイヤル操作を簡略化して利便性を向上させることが望まれていた。
【０００３】
ダイヤル操作における利便性を向上させるために、例えば送信先の発呼情報を予め短縮ダイヤルボタンに対応付けて登録し、該短縮ダイヤルボタンの押下をＦＡＸ送信者から受けると、登録された発呼情報に基づいて発呼を開始する短縮ダイヤルが用いられている。これにより、ＦＡＸ送信者は、予め短縮ダイヤルボタンに対応付けて発呼情報を登録しておけば、短縮ダイヤルボタンの押下だけでＦＡＸ送信を開始することができる。
【発明の開示】
【発明が解決しようとする課題】
【０００４】
しかしながら、従来の利便性を向上した短縮ダイヤルを用いても、短縮ダイヤルボタンが複数ある場合などでは、ＦＡＸ送信先を間違えることがある。即ち、短縮ダイヤルを起動する短縮ボタンの押下ミス、短縮ダイヤル登録時の登録ミス、ＦＡＸ送信先の発呼番号変更などの事由により誤った送信先にＦＡＸ送信することがあり、問題となっていた。当然、短縮ダイヤルを用いず、ＦＡＸ送信者が１０桁近い数字を直接ダイヤルしてＦＡＸ送信先を呼び出す場合には、尚更ＦＡＸ送信先のダイヤル入力を間違えることが多々あり、誤操作による誤った送信先にＦＡＸ送信されることが問題となっていた。
【０００５】
従って、本発明の目的は、誤操作による誤配信を確実に防止し得るＦＡＸ送信方法およびそれを用いたＦＡＸシステムを提供することにある。
【課題を解決するための手段】
【０００６】
本発明は、以上の点を解決するために、次の構成を採用する。
〈構成１〉
ＦＡＸ送信元からＦＡＸ送信先へＦＡＸ送信を行うＦＡＸ送信方法おいて、ＦＡＸ送信元から当該ＦＡＸ送信元を識別する送信元識別情報を送信先に通知すること、通知を受けたＦＡＸ送信先で、ＦＡＸ送信元の発呼情報を予め保持するＦＡＸ送信元情報記憶部を送信元識別情報に基づいて検索し、送信元識別情報に対応付けられた送信元発呼情報を取得すること、取得した送信元発呼情報に基づいて、発呼すること、ＦＡＸ送信先は、発呼に応じて着呼が行なわれたＦＡＸ送信元に対し、ＦＡＸ送信許可通知を音声案内すること、音声案内により、ＦＡＸ送信許可通知を確認したＦＡＸ送信者から送信指示を受けると、音声案内による回線接続中のＦＡＸ送信先に対して、ＦＡＸ送信元からＦＡＸ送信を行うことを特徴とする。
【０００７】
〈構成２〉
ＦＡＸ送信を行うＦＡＸ送信装置と、ＦＡＸ送信装置からのＦＡＸ送信を受信するＦＡＸ受信装置とを備えたＦＡＸシステムおいて、ＦＡＸ送信装置は、ＦＡＸ送信装置を識別するための送信装置識別情報をＦＡＸ受信装置に通知する送信装置識別情報通知部と、通知された送信装置識別情報に対応した送信元発呼情報に基づいてコールバック発呼され、コールバック発呼に応答した自装置へＦＡＸ送信許可の音声案内通知を受け、通知を受けた後ＦＡＸ送信者の送信指示に基づいて、音声案内による回線接続中のＦＡＸ受信装置に対してＦＡＸ送信を行うＦＡＸ送信部と、を備え、ＦＡＸ受信装置は、送信元発呼情報を送信装置識別情報に基づいて検索可能に保持するＦＡＸ送信装置情報記憶部と、通知された送信装置識別情報に基づいてＦＡＸ送信装置情報記憶部を検索し、送信装置識別情報に対応する送信元発呼情報を取得する発呼情報取得部と、取得した送信元発呼情報に基づいてＦＡＸ送信装置に対しコールバック発呼を行うコールバック部と、コールバック発呼に応じて着呼が行なわれたＦＡＸ送信装置に対し、音声案内を通知する音声案内通知部と、を備えることを特徴とする。
【発明の効果】
【０００８】
本発明によれば、ＦＡＸ送信元から当該ＦＡＸ送信元を識別する送信元識別情報を通知されたＦＡＸ送信先は、該送信元識別情報に対応する送信元発呼情報を取得し、該送信元発呼情報に基づいて発呼し、該発呼に応じたＦＡＸ送信元に対して、ＦＡＸ送信許可を音声案内通知する。音声案内を確認したＦＡＸ送信者が送信指示をＦＡＸ送信元に対し行うと、該ＦＡＸ送信元は、音声案内による回線接続中のＦＡＸ送信先に対して、ＦＡＸ送信を行う。
【０００９】
これにより、ＦＡＸ送信元におけるＦＡＸ送信に先立ち、ＦＡＸ送信先からＦＡＸ送信元に発呼、すなわちコールバック発呼が行なわれ、該発呼に応じてＦＡＸ送信先からの音声案内を確認した後、ＦＡＸ送信を開始することにより、ＦＡＸ送信元からＦＡＸ送信先へ直接的に回線接続行を行うためのダイヤル操作を行う必要がない。つまりダイヤル操作を行わないことから、当然ダイヤル操作による誤操作もなく、誤操作による誤った送信先にＦＡＸ送信することがなく、確実に誤配信を防止することができる。
【発明を実施するための最良の形態】
【００１０】
本発明の実施形態について、図を用いて詳細に説明する。
【実施例１】
【００１１】
以下、本発明の実施形態について図を用いて詳細に説明する。
本発明のＦＡＸシステムの構成について説明する。
実施例１のＦＡＸシステム１は、図２に示されるように、ＦＡＸ送信を行うＦＡＸ送信元１０と、ＦＡＸを受信する複数のＦＡＸ送信先１１、１２および１３と、ＦＡＸ送信元１０およびＦＡＸ送信先１１、１２および１３間でＩＰ（Ｉｎｔｅｒｎｅｔ  Ｐｒｏｔｏｋｏｌ）通信を行うためのインタネット回線８と、ＦＡＸ送信元１０およびＦＡＸ送信先１１、１２および１３間でＦＡＸ通信や電話通信などのための公衆電話回線９とを備える。また、ＦＡＸ送信元１０およびＦＡＸ送信先１１、１２および１３には、公衆電話回線９においてそれぞれを呼び出すための呼出番号が付与されている。
【００１２】
ところでＩＰ通信により、ＦＡＸ送信元１０は、当該ＦＡＸ送信元を識別するための送信元識別情報をＦＡＸ送信先１１へ通知する。この送信元識別情報の通知は、ＦＡＸ送信に先立ち行なわれる。
【００１３】
尚、ＦＡＸ送信先１１、１２および１３は、同じ機能を有し構成が同じであることから、以後、説明の重複を避けるためＦＡＸ送信先１１を例に説明する。尚、ＦＡＸ送信先１１へＦＡＸ送信元１０からのＦＡＸ送信が行なわれる例で説明を行う。
【００１４】
ここで、ＦＡＸ送信元１０を詳細に説明する。
ＦＡＸ送信元１０には、ローカル・エリア・ネットワーク（以後、ＬＡＮと略称する）１９が構築されており、該ＬＡＮ１９には、ＦＡＸ送信機能を備えたＦＡＸ送信装置１００と、インタネット回線８と接続するためのルータ１８とが接続されている。
ＦＡＸ送信装置１００は、ルータ１８を介してインタネット回線８に接続し、該インタネット回線８を介してＦＡＸ送信先１１、１２および１３とＩＰ通信を行う。
ところで、インタネット回線８に接続する装置に識別情報としてのＩＰアドレス（Ｉｎｔｅｒｎｅｔ  Ｐｒｏｔｏｋｏｌ  Ａｄｒｅｓｓ）が予め付与されており、付与されたＩＰアドレスに基づいて、インタネット回線８に接続する装置が通信相手先として特定されてＩＰ通信が行なわれる。
【００１５】
ＦＡＸ送信装置１００は、図３（ａ）に示されるように、自装置１００を識別させるための送信元識別情報を通知する送信元識別情報通知部１０１と、ＦＡＸ送信するための制御を行う送信装置回線制御部１０２とを備える。
【００１６】
送信元識別情報通知部１０１は、ＦＡＸ送信装置１００を識別するための送信元識別情報として当該ＦＡＸ送信装置１００に付与された送信元名をＦＡＸ送信先１１のＦＡＸ受信装置２００に通知する。
【００１７】
ところで、ＦＡＸ送信装置１００には、当該ＦＡＸ送信装置１００を識別するための送信元識別情報としての送信元名が付与されており、送信元識別情報通知部１０１は、ＦＡＸ送信者がＦＡＸ送信するのに先立ち、当該ＦＡＸ送信装置１００に付与された送信元名を、ＦＡＸ送信先１１に付与されたＩＰアドレスに基づいて、ＦＡＸ送信先１１に通知する。
【００１８】
送信装置回線制御部１０２は、発着呼処理機能を有しており、該機能のための図示しない送受話器を備えている。送信装置回線制御部１０２は、発着呼処理機能によりＦＡＸ送信先１１との間で公衆電話回線９を介したＦＡＸ通信および電話通信を行うための発呼および着呼処理を行うことができる。
【００１９】
例えば、ＦＡＸ送信先１１から発呼が行なわれると、ＦＡＸ送信元１０の送信装置回線制御部１０２は、公衆電話回線９を介して通知される呼出信号を検出し、ＦＡＸ送信者に着呼を通知すべく鳴動による呼出を行う。呼出に応じてＦＡＸ送信者が送受話器をピックアップすると、ＦＡＸ送信元１０およびＦＡＸ送信先１１間で公衆電話回線９における回線接続が行なわれる。
【００２０】
ところで、ＦＡＸ送信先１１からのＦＡＸ送信元１への発呼は、以降の説明においてコールバック発呼と称する。
【００２１】
ここで、再び送信装置回線制御部１０２を説明する。送信装置回線制御部１０２は、回線接続が行なわれた後に、ＦＡＸ送信先１１から通知される音声案内を取得する音声案内取得部１０２１と、音声案内による回線接続中のＦＡＸ送信先１１に対しＦＡＸ送信が行うＦＡＸ送信部１０２２とを備える。
【００２２】
音声案内取得部１０２１は、ＦＡＸ送信元１０からＦＡＸ送信先１１への電話通信として通知される音声案内を取得する。取得した音声案内をＦＡＸ送信者に通知すべく、拡声器（図示せず）から音声案内が出力される。すなわち、拡声器により、例えば「呼出番号○○の受信装置です。ＦＡＸ送信を許可します」などの音声案内がＦＡＸ送信者に通知される。
【００２３】
ところで、音声案内通知を確認したＦＡＸ送信者がＦＡＸ送信開始を指示すべくＦＡＸ送信開始ボタン（図示せず）を押下すると、ＦＡＸ送信開始信号がＦＡＸ送信部１０２２へ通知される。
【００２４】
ＦＡＸ送信部１０２２は、ＦＡＸ送信開始信号を受けると、ＦＡＸ送信先１１に対してＦＡＸ送信のための制御を行う。
ところで、ＦＡＸ送信制御は、原稿を走査して光電変換を行ない、該変換で得た電気信号を符号化して変調する制御であり、変調制御により生成したＦＡＸ信号を公衆電話回線９を介してＦＡＸ送信先１１に送信する制御を行う。
【００２５】
次に、ＦＡＸ送信先１１を詳細に説明する。
ＦＡＸ送信先１１には、ローカル・エリア・ネットワーク（以後、ＬＡＮと略称する）５９が構築されており、該ＬＡＮ５９には、ＦＡＸ送信機能を備えたＦＡＸ受信装置２００と、インタネット回線８と接続するためのルータ５８とが接続されている。ＦＡＸ受信装置２００は、ルータ５８を介してインタネット回線８に接続することができ、該インタネット回線８を介してＦＡＸ送信元１０とＩＰ通信を行う。
【００２６】
ＦＡＸ受信装置２００は、図３（ｂ）に示されるように、ＦＡＸ送信装置１００に対する発呼を行うための送信元発呼情報および送信元名を対応付け、これらを予め保持するＦＡＸ送信装置情報記憶部２０１と、ＦＡＸ送信装置１００から通知された送信元識別情報としての送信元名を取得する送信元識別情報取得部２０２と、取得する送信元名に基づいて送信元発呼情報を取得する発呼情報取得部２０３と、ＦＡＸ送信装置１００からのＦＡＸ送信を受信するための制御を行う受信装置回線接続制御部２０４とを備える。
【００２７】
ＦＡＸ送信装置情報記憶部２０１は、ハードディスクや光磁気ディスクなどの不揮発性の記憶デバイスを備えており、不揮発性記憶デバイスは、図４に示す送信元発呼情報としての呼出番号と、送信元識別情報としての送信元名と、送信元の住所と、をテーブル形式で保持している。
【００２８】
送信元識別情報取得部２０２は、ＦＡＸ送信装置１００の送信元識別情報通知部１０１から通知された送信元名を取得すると、該送信元名を発呼情報取得部２０３に通知する。
【００２９】
発呼情報取得部２０３は、送信元識別情報取得部２０２から送信元名を受けると、該送信元名をキーワードとしてＦＡＸ送信装置情報記憶部２０１を検索し、当該送信元名に対応付けられている送信元発呼情報としての呼出番号を取得する。取得した発呼番号は、発呼情報取得部２０３から受信装置回線接続制御部２０４に通知される。
【００３０】
一方、発呼番号が取得できなかったとき、以後の処理は行なわれない。尚、必要に応じて、送信元名がＦＡＸ受信装置２００で管理されてないことを示すエラーメッセージがＦＡＸ送信装置１００へ通知される。
【００３１】
受信装置回線接続制御部２０４は、ＦＡＸ送信を許可する音声案内をＦＡＸ送信装置１００に通知する音声案内通知部２０４１と、該音声案内通知のためにＦＡＸ送信装置１００へコールバック発呼のための制御を行うコールバック部２０４２と、ＦＡＸ送信装置１００からのＦＡＸを受信制御するＦＡＸ受信部２０４３と、を備える。
【００３２】
コールバック部２０４２は、発呼情報取得部２０３で取得した呼出番号に基づいてコールバック発呼のための制御を行う。
【００３３】
音声案内通知部２０４１は、ＦＡＸ送信を許可する音声案内のための音声データを予め保持しており、コールバック発呼によりＦＡＸ送信装置１００との間で回線接続されると、保持する音声データに基づく音声再生を行ない、再生した音声案内をＦＡＸ送信装置１００に通知する。
【００３４】
ＦＡＸ受信部２０４３は、ＦＡＸ送信装置１００からのＦＡＸを受信する制御を行う。ＦＡＸ受信制御は、公衆電話回線９を介して受信したＦＡＸ信号を復調し、該復調した信号を復号化し、複号化して得たデータに基づいて記録紙に印刷処理を行ない、当該記録紙上に原稿内容を再現する。
【００３５】
実施例１のＦＡＸシステムの動作を図１に示すシーケンスに沿って説明する。
ＦＡＸ送信装置１００は、ＩＰアドレスに基づいて、当該ＦＡＸ送信装置１００に付与された送信元名をＦＡＸ受信装置２００に通知する（Ｓ３０１）。
【００３６】
通知を受けたＦＡＸ受信装置２００の発呼情報取得部２０３は、通知された送信元名に基づいてＦＡＸ送信装置情報記憶部２０１を検索し、当該送信元名に対応した呼出番号を取得する（Ｓ４０２）。
ＦＡＸ受信装置２００のコールバック部２０４２は、取得した呼出番号に基づいてＦＡＸ送信装置１００へコールバック発呼を行う（Ｓ４０３）。
【００３７】
ＦＡＸ受信装置２００からのコールバック発呼を受けたＦＡＸ送信装置１００は、コールバック発呼による着呼を鳴動によりＦＡＸ送信者に知らせる（Ｓ４０４）。
鳴動に応じてＦＡＸ送信者がＦＡＸ送信装置１００の送受話器をピックアップすると、ＦＡＸ送信装置１００およびＦＡＸ受信装置２００間で公衆電話回線９における回線接続が行なわれる。
【００３８】
回線接続が行なわれると、ＦＡＸ受信装置２００の音声案内通知部２０４１は、予め保持している音声データに基づく再生を行ない、「呼出番号○○の受信装置です。ＦＡＸ送信を許可します」旨の音声案内を公衆電話回線９を介してＦＡＸ送信装置１００へ通知する（Ｓ４０５）。
【００３９】
通知を受けたＦＡＸ送信装置１００は、音声案内取得部１０２１で音声案内通知を取得すると、ＦＡＸ送信者に通知すべく拡声器（図示せず）から音声案内を出力する。音声案内を確認したＦＡＸ送信者がＦＡＸ送信を指示すると、ＦＡＸ送信部１０２２は、音声案内通知による回線接続中のＦＡＸ受信装置２００に対し、公衆電話回線９を介してＦＡＸ送信を開始する（Ｓ４０６）。これにより、ＦＡＸ送信装置１００は、ＦＡＸ信号をＦＡＸ受信装置２００へ出力する。
【００４０】
ＦＡＸ受信装置２００のＦＡＸ受信部２０４３は、ＦＡＸ送信装置１００からのＦＡＸ信号を受信すると（Ｓ４０７）、ＦＡＸ受信部２０４３は、受信したＦＡＸ信号に基づいて記録紙上に印刷処理を行う。
【００４１】
実施例１のＦＡＸシステム１によれば、ＦＡＸ送信装置１００からの送信元名を取得したＦＡＸ受信装置２００は、該送信元名に対応付けられた呼出番号を検索し、取得した呼出番号に基づいてコールバック発呼を行ない、ＦＡＸ送信装置１００との間で公衆電話回線９の回線接続が行なわれると、ＦＡＸ送信を許可する音声案内通知を行う。ＦＡＸ送信装置１００は、音声案内通知を確認したＦＡＸ送信者によりＦＡＸ送信開始の指示を受けると、音声案内通知で回線接続中のＦＡＸ受信装置２００に対しＦＡＸ送信を行う。
【００４２】
これにより、ＦＡＸ送信装置１００からＦＡＸ受信装置２００へ直接的に回線接続を行うためのダイヤル操作を行う必要がなく、ダイヤル操作による誤操作の虞がない。従って、本発明のＦＡＸシステム１は、ＦＡＸ送信装置１００における誤操作を招くことがなく、誤った送信先にＦＡＸ送信することがなく、確実に誤配信を防止することができる。
【産業上の利用可能性】
【００４３】
実施例では、送信元名（送信元識別情報）をインタネット回線８を介してＦＡＸ送信先１１に通知する例で説明したが、具体的にはＷｅｂページを介した通知や電子メールによる通知などが考えられる。尚、送信元名をＩＰ通信で通知する外に、例えば公衆電話回線９でもって送信元名を通知するようにしてもよい。
【００４４】
また、ＦＡＸ送信装置１００が送信元名をＦＡＸ受信装置２００に送信する例を説明したが、これに限定されることなく、送信元名を通知するための通信機能を別途設ける装置に組込み、該装置を用いてシステム構築するようにしてもよい。尚、別途設ける装置としては、市場での普及を考慮して携帯電話やパーソナルコンピュータなどが考えられる。
【００４５】
また、実施例では、送信元識別情報として送信元名を通知する例で説明を行ったが、これに限る必要はなく、例えば公衆電話回線におけるＦＡＸ送信装置の呼出番号やインタネット回線に接続するＦＡＸ送信装置１００に付与されたＩＰアドレスを用いてもよい。
【図面の簡単な説明】
【００４６】
【図１】本発明のＦＡＸシステムの動作シーケンスを示す図である。
【図２】本発明のＦＡＸシステムの構成図である。
【図３】本発明の主要装置の構成を示すブロック図である。
【図４】発呼情報テーブルの１例を示す図である。
【符号の説明】
【００４７】
１                        ＦＡＸシステム
８                        インタネット回線
９                        公衆電話回線
１０                      ＦＡＸ送信元
１１、１２、１３          ＦＡＸ送信先
１８、５８、６８、７８    ルータ
１９、５９、６９、７９    ＬＡＮ
１００                    ＦＡＸ送信装置
１０１                    送信元識別情報通知部
１０２                    送信装置回線接続制御部
１０２１                  音声案内取得部
１０２２                  ＦＡＸ送信部
２００                    ＦＡＸ受信装置
２０１                    ＦＡＸ送信装置情報記憶部
２０２                    送信元識別情報取得部
２０３                    発呼情報取得部
２０４                    受信装置回線接続制御部
２０４１                  音声案内通知部
２０４２                  コールバック部
２０４３                  ＦＡＸ受信部
【図１】
2007028528.tif 000003
【図２】
2007028528.tif 000004
【図３】
2007028528.tif 000005
【図４】
2007028528.tif 000006